(57)【要約】【課題】本発明は、筆記面への筆記内容のリアルタイムでの確認が可能であると共に筆記面内容を光学的に読み取って画像データを作成する電子黒板装置を提供する。【解決手段】電子黒板装置は筆記具によって記載が可能な筆記面と、筆記面の情報を読み取って画像データを作成する読み取り手段と、画像データを用いて印刷媒体に画像を印刷する印刷手段と、筆記面の情報を撮像する撮像部と、撮像部によって撮像された映像データを出力する出力ポート部と、を有している。【選択図】  図１
2016030369.tif 000002
【特許請求の範囲】
【請求項１】
筆記具によって記載が可能な筆記面と、
前記筆記面の情報を読み取って画像データを作成する読み取り手段と、
前記画像データを用いて印刷媒体に画像を印刷する印刷手段と、
前記筆記面の情報を撮像する撮像部と、
前記撮像部によって撮像された映像データを出力する出力ポート部と、
を有する電子黒板装置。
【請求項２】
前記電子黒板装置は、前記画像データの記録部を接続する記録ポート部を更に有する請求項１記載の電子黒板装置。
【請求項３】
筆記具によって記載が可能な筆記面と、
前記筆記面の情報を読み取って画像データを作成する読み取り手段と、
前記画像データを用いて印刷媒体に画像を印刷する印刷手段と、
前記筆記面の情報を撮像する、前記読み取り手段における解像度より低い解像度の撮像部と、
前記撮像部によって撮像された映像データを出力する出力ポート部と、
を有する電子黒板装置。
【請求項４】
前記電子黒板装置は、前記画像データの記録部を接続するポート部を更に有する請求項３記載の電子黒板装置。
【発明の詳細な説明】
【技術分野】
【０００１】
本発明の実施形態は、電子黒板装置に関する。
【背景技術】
【０００２】
筆記面を有した電子黒板が知られており、前記筆記面に文字等を筆記しつつ会議が開催される事が多い。会議の際、筆記内容を容易に視認できる程度の開催場所での使用は良いが、会議開催場所が広く筆記内容を容易に視認できない場合は筆記内容のリアルタイムでの確認が難しい。このため筆記内容のリアルタイムでの確認が可能となる様にカメラにて筆記面を撮像し、その映像データを送信するシステムも知られている。カメラにて撮像された映像データの送信によりリアルタイムでの確認が可能になったものの、筆記面に筆記された情報を手元に保管するには、映像データを処理して保管する必要があった。
【先行技術文献】
【特許文献】
【０００３】
【特許文献１】特開２００９−１３０９２２号公報
【発明の概要】
【発明が解決しようとする課題】
【０００４】
本発明は、筆記面への筆記内容のリアルタイムでの確認が可能である共に筆記面内容を光学的に読み取って画像データを作成する電子黒板装置を提供する。
【課題を解決するための手段】
【０００５】
電子黒板装置は筆記具によって記載が可能な筆記面と、筆記面の情報を読み取って画像データを作成する読み取り手段と、画像データを用いて印刷媒体に画像を印刷する印刷手段と、筆記面の情報を撮像する撮像部と、撮像部によって撮像された映像データを出力する出力ポート部と、を有している。
【図面の簡単な説明】
【０００６】
【図１】第１の実施形態における電子黒板装置１の外観斜視図である。
【図２】第１の実施形態における電子黒板装置のフレーム角部の拡大斜視図である。
【図３】第１の実施形態における電子黒板装置の内部構造を示す平面図である。
【図４】第１の実施形態における電子黒板装置の内部構造を示す正面図である。
【図５】第１の実施形態における電子黒板装置の制御回路を示すブロック図である。
【図６】第１の実施形態における電子黒板装置とプロジェクタの接続例である。
【発明を実施するための形態】
【０００７】
以下に本発明の実施形態にかかる電子黒板装置を図面を参照して詳細に説明する。
【０００８】
（第１の実施形態）
図１は本実施形態における電子黒板装置１の外観斜視図である。電子黒板装置１は、一対の脚部２ａおよび２ｂによって長方形形状のフレーム３を支持している。フレーム３は環状のシート４を収納している。このシート４におけるフレーム３の前面側の開口部から外部に露出した部分がマーカーペン等の筆記具によって文字等が筆記される筆記面４ａとなる。またフレーム３の脚部２ｂ側下方には、ＣＣＤラインセンサ１５（図３参照）によって読み取られた画像を印字媒体に対して印刷する為のプリンタ５が設けられている。なおこのプリンタ５であるが、インクジェットプリンタ、サーマルプリンタ等記録方式は問わない。
【０００９】
フレーム３の下縁部にはマーカーペン等にて筆記された文字等を消去する際に使用するクリーナ（図示せず）を保持する棚部６が設けられている。またフレーム３の脚部２ｂ側縁部には、電子黒板装置１を操作するための各種操作キーを有する操作パネル７が設けられている。
【００１０】
またフレーム３の上縁部中央には、筆記面４ａを撮像するためのカメラ５０がカメラスタンド５１を介して設けられている。
【００１１】
フレーム３のスタンド２ｂ側下角部には、図２に示すように手前側に突出した突出部３ａが形成されている。この突出部３ａには電子黒板装置１への電源供給をオンまたはオフするための電源スイッチ８と、ＵＳＢメモリ４０のＵＳＢコネクタ４１を着脱可能なＵＳＢポート９とが設けられている。なお、ＵＳＢポート９には、ＵＳＢメモリの他にもＵＳＢコネクタを有するＳＤカードドライブ、ハードディスクドライブなどの外付け記憶装置を接続可能である。
【００１２】
上記操作パネル７は、ＬＥＤ表示部、シートフィードボタン、印刷ボタン、ＵＳＢ書込ボタン等を備えている。ＬＥＤ表示部は、電源供給の有無や用紙切れ等をＬＥＤの点灯によって報知する。シート４を例えば図１におけるスタンド２ｂ側からスタンド２ａ側へと送るシートフィードの指示を与えたり、筆記面４ａに描画された文字等を印刷する指示を与える。ＵＳＢ書込ボタンは筆記面４ａに描画された文字等を電子データとしてＵＳＢポート９から外部に出力する指示を与える。 
図３は電子黒板装置１の内部構造を概略的に示す平面図であり、図４は電子黒板装置１の内部構造を概略的に示す正面図である。 
フレーム３内の左右両端部には、シート４を回転して搬送させる一対のローラ１０ａ，１０ｂが設けられている。ローラ１０ａ，１０ｂは、フレーム３の左右側縁と略平行な軸心を有するもので、ローラ１０ａ，１０ｂ間には環状のシート４が掛け渡されている。また、ローラ１０ａ，１０ｂのうちいずれか一方には、図示しないベルト伝動機構を介してシートフィード（ＳＦ）モータ２５（図５参照）が連結されている。そして、ＳＦモータ２５が駆動されると上記ベルト伝動機構を介してローラ１０ａ，１０ｂが回転し、シート４が左右方向に回転搬送される。
【００１３】
また、シート４の筆記面４ａのすぐ背後には、筆記面４ａに対する良好な筆記性を確保するための筆記ボード１１が配設されている。
【００１４】
そして、筆記ボード１１を挟んだ筆記面４ａの反対側には、シート４の搬送方向に略直行する方向に長尺な光源１２およびミラー１３と、レンズ１４と、ＣＣＤラインセンサ１５とが設けられている。シート４に描画された文字等を読み取る際には、光源１２がシート４に可視光を照射し、シート４からの反射光がミラー１３を介してレンズ１４に送られ、ＣＣＤラインセンサ１５の受光面に集光される。このときＣＣＤラインセンサ１５から、受光面によって受光された可視光に応じてミラー１３の長尺方向に沿う１ライン分の電気信号が出力される。
【００１５】
なお、光源１２、ミラー１３、レンズ１４、ＣＣＤラインセンサ１５、および後述の画像処理部２４は、シート４の情報を読み取って画像データを生成する読取部を構成する。
【００１６】
次に、電子黒板装置１の制御回路について説明する。 
図５は、電子黒板装置１の制御回路を示すブロック図である。この制御回路は、ＣＰＵ２０、ＲＯＭ（Read Only Memory）２１、ＲＡＭ（Random Access Memory）２２、点灯回路２３、画像処理部２４、ＳＦモータ２５、電源ユニット２６、プリンタ５、操作パネル７、電源スイッチ８、ＵＳＢポート９、光源１２、ＣＣＤラインセンサ１５、カメラ５０およびカメラ画像処理部５２、画像出力ポート５３等で構成されている。
【００１７】
ＲＯＭ２１は、電子黒板装置１の動作プログラムや各種デフォルト設定値等の固定的データを記憶している。ＲＡＭ２２は、電子黒板装置１の処理場面に応じて各種の作業用記憶領域を形成する。
【００１８】
点灯回路２３は、シート４に描画された文字等を読み取る際に光源１２に通電し、光源１２を点灯させる。光源１２が点灯するとシート４からの反射光がレンズ１４等を介してＣＣＤラインセンサ１５に集光され、ＣＣＤラインセンサ１５が受光した可視光に応じた電気信号を出力する。
【００１９】
画像処理部２４は、ＣＣＤラインセンサ１５から出力されるライン毎の電気信号を増幅する増幅器、この増幅器で増幅される電気信号を強度に応じた階調値にＡ／Ｄ変換してデジタルデータを生成するＡ／Ｄ変換器などで構成されている。
【００２０】
電源ユニット２６は、電源スイッチ８が電源オンの状態に切り替えられたことに応じて、商用交流電源等の外部電源３０から動作電力を取り込み、制御回路を構成する各部に供給する。
【００２１】
ＵＳＢポート９にＵＳＢメモリ４０のＵＳＢコネクタ４１が接続されると、ＵＳＢメモリ４０にＵＳＢポート９を介して電源ユニット２６から動作電力が供給される。ＵＳＢメモリ４０は、この動作電力を受けて内蔵メモリへのデータの書き込みおよび読み出しを行う。カメラ画像処理部５２は、カメラ５０にて撮像した映像の歪みを補正する。
【００２２】
また電子黒板装置１にはアナログＲＧＢ、ＨＤＭＩ（登録商標）等の画像出力ポート５３が設けられている。
【００２３】
以下、上記構成の電子黒板装置１の具体的な動作について説明する。
【００２４】
会議出席者による電子黒板装置１の筆記面４ａへの筆記内容はカメラ５０にて撮像され、カメラ画像処理部５２にて歪みの補正等を施され、画像出力ポート５３より出力される。この出力はその後図６に示すようにプロジェクタ６０に入力し投影する事が可能となる。また図示しないネットワークを介してこの出力を配信してもよい。
【００２５】
筆記面４ａに筆記された文字等を保管する場合は、まず電源スイッチ８を電源オンの状態に切り替る。そして電源ユニット２６から動作電力が供給された状態で操作パネル７の印刷ボタンを操作すると、ＣＰＵ２０は、筆記面４ａに描画された文字等を画像データとして取り込む。具体的には、点灯回路２３にて光源１２を点灯させ、ＳＦモータ２５を回転させてシート４を搬送させるとともに、画像処理部２４に画像データの生成を指示する。この指示を受けた画像処理部２４は、ＣＣＤラインセンサ１５から出力されるライン毎の電気信号をデジタルデータに変換していく。ＳＦモータ２５は、画像処理部２４が印刷ボタン操作時点の筆記面４ａの最後端のラインに対応するデジタルデータを取得し終えるまで回転する。そして、画像処理部２４は、ＳＦモータ２５が停止するまでに取得した全てのデジタルデータをライン順に組み合わせて１つのグレースケール画像データを生成し、ＣＰＵ２０に出力する。ＣＰＵ２０は、このようにして取り込まれたグレースケール画像データをＲＡＭ２２に記憶する。そして、ＣＰＵ２０は、例えば予め設定された濃度に応じた階調の閾値にてＲＡＭ２２に記憶したグレースケール画像データを２値化してモノクロ画像データを生成し、プリンタ５に出力する。プリンタ５は、入力されたモノクロ画像データを紙媒体に印刷し、外部に排出する。また紙媒体ではなく電子データとして保管したい場合は、操作パネル７にて電子データ保管を選択すると、電子データを作成し、ＵＳＢポート９経由でＵＳＢメモリ４０に保管をする。
【００２６】
以上の様に本実施の形態における電子黒板装置１は、筆記面４ａを撮影するカメラ５０および筆記面４ａに描画された文字等を画像データとして出力する画像形成部を有している。これにより電子黒板装置１の筆記面４ａが容易に視認出来ない位置にいる者に対しても筆記面４ａの撮影情報を提供できるとともに、筆記面４ａに描画された文字等の画像データも併せて提供が可能となる。
【００２７】
（第２の実施形態）
第１の実施形態において説明した電子黒板装置１は、筆記面４ａを撮影するカメラ５０および筆記面４ａに描画された文字等を画像データとして出力する画像形成部を有している。会議出席者は、会議出席中はカメラ５０にて撮影された情報を確認し、その後筆記面４ａに描画された文字等の画像データを紙媒体もしくは電子データとして受領する。この画像データは保管等をする場合が多い為高解像度が要求される。しかしながらカメラ５０による映像は会議の場のみの視認となる場合が多く画像データに比べ高解像度は要求されない。
【００２８】
第２の実施の形態における電子黒板装置１は、筆記面４ａを撮影するカメラ５０および筆記面４ａに描画された文字等を画像データとして出力する画像形成部を有する。筆記面４ａを撮影するカメラ５０の解像度は、筆記面４ａに描画された文字等を画像データとして出力する画像形成部の解像度より低い。これによりカメラ５０の価格を低減させる事が可能となり、電子黒板装置１の価格を低減させることが可能となる。
【００２９】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更をおこなうことができる。これらの実施形態やその変形は、発明の範囲や要旨に含まれると共に、特許請求の範囲に記載された発明とその均等の範囲に含まれる。
【符号の説明】
【００３０】
１・・電子黒板装置
３・・フレーム
４・・シート
４ａ・・筆記面
５・・プリンタ
７・・操作パネル
９・・ＵＳＢポート
５０・・カメラ
５３・・画像出力ポート
【図１】
2016030369.tif 000003
【図２】
2016030369.tif 000004
【図３】
2016030369.tif 000005
【図４】
2016030369.tif 000006
【図５】
2016030369.tif 000007
【図６】
2016030369.tif 000008